(57)【要約】【課題】容易に開封することができ、かつ、開封後に内容物を取り出しやすい包装袋を提供する。【解決手段】本発明の包装袋は、互いに対向する前面および背面と、上記前面と上記背面との間に形成されて互いに対向する第１の側面および第２の側面と、上記前面と上記背面とがシールされることにより互いに対向する両端のそれぞれに沿って形成されたシール部と、上記両端の一端から他端まで延びるように上記背面に形成された背シール部と、を有する。【選択図】図１
2020147367.tif 000002
【特許請求の範囲】
【請求項１】
互いに対向する前面および背面と、前記前面と前記背面との間に形成されて互いに対向する第１の側面および第２の側面と、
前記前面と前記背面とがシールされることにより互いに対向する両端のそれぞれに沿って形成されたシール部と、前記両端の一端から他端まで延びるように前記背面に形成された背シール部と、
を有する包装袋であって、
前記前面または前記背面に開封口を形成するように裂け目を誘導する、前記背シール部の前記一端近傍から前記他端へ向けて延びる第１の開封補助線および第２の開封補助線を有し、
前記第１の開封補助線は、前記背シール部の前記一端近傍から、前記第１の側面と前記前面または前記背面との境界に延び、さらに、前記第１の側面と前記前面または前記背面との境界に沿って前記他端に向けて延び、
前記第２の開封補助前は、前記背シール部の前記一端近傍から、前記第２の側面と前記前面または前記背面との境界に延び、さらに、前記第２の側面と前記前面または前記背面との境界に沿って延びる、
包装袋。
【請求項２】
前記背シール部において、前記第１の開封補助線および前記第２の開封補助線が、前記裂け目の誘導方向に向かって先細りする形状を有するとともに該方向に沿って配列された複数の単位補助線を含む、請求項１に記載の包装袋。
【請求項３】
前記背シール部から前記第１の側面と前記前面または前記背面との境界までの間において、前記第１の開封補助線が、互いに沿って延びる複数本の開封補助線により構成される、請求項１または２の記載の包装袋。
【請求項４】
前記背シール部から前記第２の側面と前記前面または前記背面との境界までの間において、前記第２の開封補助線が、互いに沿って延びる複数本の開封補助線により構成される、請求項１から３のいずれかに記載の包装袋。
【請求項５】
前記シール部と前記背面、前記背面と前記第１の側面との境界、および、前記背面と前記第２の側面との境界に角部が形成され、
該角部の少なくともひとつにおいて、前記第１の開封補助線および／または第２の開封補助線が、該角部と略垂直に交わる、
請求項１から４のいずれかに記載の包装袋。
【請求項６】
前記第１の側面と前記前面または前記背面との境界において、前記第１の開封補助線が、該境界に沿い前記裂け目の誘導方向に向かって先細りする形状を有するとともに該方向に沿って配列された複数の単位補助線を含む、請求項１から５のいずれかに記載の包装袋。
【請求項７】
前記第２の側面と前記前面または前記背面との境界において、前記第２の開封補助線が、該境界に沿い前記裂け目の誘導方向に向かって先細りする形状を有するとともに該方向に沿って配列された複数の単位補助線を含む、請求項１から６のいずれかに記載の包装袋。
【請求項８】
前記第１の側面と前記前面または前記背面との境界において、前記第１の開封補助線が、該境界に沿って延びる複数本の開封補助線により構成され、該開封補助線が、波状線または折れ線である、請求項１から７のいずれかに記載の包装袋。
【請求項９】
前記第２の側面と前記前面または前記背面との境界において、前記第２の開封補助線が、該境界に沿って延びる複数本の開封補助線により構成され、該開封補助線が、波状線または折れ線である、請求項１から８のいずれかに記載の包装袋。
【請求項１０】
前記背シール部が、前記第１の開封補助線および第２開封補助線の前記背シール部側端部の近傍において、切り込みまたは切り欠きを有する、請求項１から９のいずれかに記載の包装袋。
【請求項１１】
前記包装袋を構成するフィルムが、基材と、前記基材上に積層されたバリア層とを有し、
前記基材に前記第１の開封補助線および第２の開封補助線が形成されている、
請求項１から１０のいずれかに記載の包装袋。
【発明の詳細な説明】
【技術分野】
【０００１】
本発明は、包装袋に関する。
【背景技術】
【０００２】
フィルムにより構成される包装袋として、様々なタイプの包装袋が知られている。中でも、ガゼット形式の包装袋は、コンパクトに、かつ、効率良く梱包できることから、菓子等の包装をはじめ、様々な分野で用いられている。ガゼット形式の包装袋は、端部に設けられた切り欠きを起点に切り裂くことで側面部分を開封するものが一般的であるが、内容物が隙間少なく包装されている場合には、内容物と裂け目とが干渉することがある。例えば、羊羹のように柔らかい内容物が包装されている場合には、開封時に内容物を損傷させてしまうことがある。
【０００３】
近年、内容物を容易に取り出すべく、背面または前面を開封する形態の包装袋が知られている（特許文献１および２）。しかしながら、上記のような背面または前面が開封されるガゼット形式の包装袋は、容易に開封できない場合がある。また、開封時、意図しない裂け目が生じて、予定より小さい開封口しか形成されず、内容物の取り出しが困難になる場合もある。
【先行技術文献】
【特許文献】
【０００４】
【特許文献１】特開２００８−１０５７１９号公報
【特許文献２】特開２０１４−２３４２３６号公報
【発明の概要】
【発明が解決しようとする課題】
【０００５】
本発明は上記従来の課題を解決するためになされたものであり、その主たる目的は、容易に開封することができ、かつ、開封後に内容物を取り出しやすい包装袋を提供することにある。
【課題を解決するための手段】
【０００６】
本発明の包装袋は、互いに対向する前面および背面と、上記前面と上記背面との間に形成されて互いに対向する第１の側面および第２の側面と、上記前面と上記背面とがシールされることにより互いに対向する両端のそれぞれに沿って形成されたシール部と、上記両端の一端から他端まで延びるように上記背面に形成された背シール部と、を有する包装袋であって、上記前面または上記背面に開封口を形成するように裂け目を誘導する、上記背シール部の上記一端近傍から上記他端へ向けて延びる第１の開封補助線および第２の開封補助線を有し、上記第１の開封補助線は、上記背シール部の上記一端近傍から、上記第１の側面と上記前面または上記背面との境界に延び、さらに、上記第１の側面と上記前面または上記背面との境界に沿って上記他端に向けて延び、上記第２の開封補助前は、上記背シール部の上記一端近傍から、上記第２の側面と上記前面または上記背面との境界に延び、さらに、上記第２の側面と上記前面または上記背面との境界に沿って延びる。
１つの実施形態においては、上記背シール部において、上記第１の開封補助線および上記第２の開封補助線が、上記裂け目の誘導方向に向かって先細りする形状を有するとともに該方向に沿って配列された複数の単位補助線を含む。
１つの実施形態においては、上記背シール部から上記第１の側面と上記前面または上記背面との境界までの間において、上記第１の開封補助線が、互いに沿って延びる任意の適切な本数の開封補助線により構成される。
１つの実施形態においては、上記背シール部から上記第２の側面と上記前面または上記背面との境界までの間において、上記第２の開封補助線が、互いに沿って延びる任意の適切な本数の開封補助線により構成される。
１つの実施形態においては、上記シール部と上記背面、上記背面と上記第１の側面との境界、および、上記背面と上記第２の側面との境界に角部が形成され、該角部の少なくともひとつにおいて、上記第１の開封補助線および／または第２の開封補助線が、該角部と略垂直に交わる。
１つの実施形態においては、上記第１の側面と上記前面または上記背面との境界において、上記第１の開封補助線が、該境界に沿い上記裂け目の誘導方向に向かって先細りする形状を有するとともに該方向に沿って配列された複数の単位補助線を含む。
１つの実施形態においては、上記第２の側面と上記前面または上記背面との境界において、上記第２の開封補助線が、該境界に沿い上記裂け目の誘導方向に向かって先細りする形状を有するとともに該方向に沿って配列された複数の単位補助線を含む。
１つの実施形態においては、上記第１の側面と上記前面または上記背面との境界において、上記第１の開封補助線が、該境界に沿って延びる複数本の開封補助線により構成され、該開封補助線が、波状線または折れ線である。
１つの実施形態においては、上記第２の側面と上記前面または上記背面との境界において、上記第２の開封補助線が、該境界に沿って延びる複数本の開封補助線により構成され、該開封補助線が、波状線または折れ線である。
１つの実施形態においては、上記背シール部が、上記第１の開封補助線および第２開封補助線の上記背シール部側端部の近傍において、切り込みまたは切り欠きを有する。
１つの実施形態においては、前記包装袋を構成するフィルムが、基材と、上記基材上に積層されたバリア層とを有し、上記基材に上記第１の開封補助線および第２の開封補助線が形成されている。
【発明の効果】
【０００７】
本発明によれば、容易に開封することができ、かつ、開封後に内容物を取り出しやすい包装袋が提供され得る。
【図面の簡単な説明】
【０００８】
【図１】（ａ）は、本発明の１つの実施形態による包装袋を背面側から見たときの概略平面図であり、（ｂ）は、本発明の１つの実施形態による包装袋を前面側から見たときの概略斜視図である。
【図２】図１に示す包装袋の製造に用いられる製袋用フィルムを示す概略平面図である。
【図３】本発明の１つの実施形態における包装袋に設けられる開封補助線の例を示す拡大平面図である。
【図４】図１に示す包装袋の製造に用いられる製袋用フィルムの別の例を示す概略平面図である。
【図５】（ａ）は、本発明の１つの実施形態による包装袋を背面側から見たときの概略平面図であり、（ｂ）は、本発明の１つの実施形態による包装袋を前面側から見たときの概略斜視図である。
【図６】図５に示す包装袋の製造に用いられる製袋用フィルムを示す概略平面図である。
【図７】図５に示す包装袋の製造に用いられる製袋用フィルムの別の例を示す概略平面図である。
【図８】図５に示す包装袋の製造に用いられる製袋用フィルムの別の例を示す概略平面図である。
【発明を実施するための形態】
【０００９】
以下、本発明の実施形態について、図１〜図８に基づいて詳細に説明する。
【００１０】
Ａ．第１の実施形態
図１（ａ）は本発明の１つの実施形態による包装袋１００を背面２１側から見たときの概略斜視図であり、図１（ｂ）は包装袋１００を前面２０側から見たときの概略斜視図である。図２は、包装袋１００の製造に用いられる製袋用フィルム１１０であり、包装袋１００の展開図である。包装袋１００は、互いに対向する前面２０および背面２１と、前面２０と背面２１との間に形成されて互いに対向する第１の側面２２および第２の側面２３と、を有する。包装袋１００は、いわゆるガゼット方式の包装袋である。包装袋１００は、代表的には、１枚の製袋用フィルム１１０を製袋加工することにより得られる。包装袋１００は、前面２０と背面２１とがシールされることにより形成された第１のシール部１１および第２のシール部１２と、背面に形成された背シール部１３（背貼り）と、を有する。第１のシール部１１は、互いに対向する両端のうちの一端１１ａに沿って形成されており、第２のシール部１２は、他端１２ａに沿って形成されている。背シール部１３は、一端１１ａから他端１２ａまで延びるように背面２１に形成されている。代表的には、背シール部１３は背面２１の中央近傍に形成され、背面２１に接するように（背面２１と略平行になるように）、第２の側面２３に向けて折り込まれている。
【００１１】
なお、図２（および後述の図５）において、点線で表される線２１ａ、２２ａ、２２ｂ、２２ｃ、２３ａ、２３ｂ、２３ｃ、２１ａ’、２２ａ’、２２ｂ’、２２ｃ’、２３ａ’、２３ｂ’、２３ｃ’は、製袋加工時に折られる箇所であり、包装袋における角部となる箇所である。本明細書において、便宜上、角部が延びる方向を長さ方向とする。
【００１２】
包装袋１００は、背シール部１３の一端１１ａ近傍から、他端１２ａへ向けて延びる、第１の開封補助線３０および第２の開封補助線４０を有する。図１においては、第１の開封補助線３０および第２の開封補助線４０が太線で示されている。第１の開封補助線３０および第２の開封補助線４０は、包装袋１００を背シール部１３から切り裂いた際に、背面２１に開封口を形成するように裂け目を誘導する。代表的には、第１の開封補助線３０および第２の開封補助線４０は、その形状に沿って裂け目を進行させ得る。なお、第１の開封補助線および第２の開封補助線のように「第１の」または「第２の」を付して記載される開封補助線は、複数の開封補助線（副開封補助線）および／または複数の単位補助線の集合であり得る（詳細は、後述）。
【００１３】
第１の開封補助線３０は、背シール部１３の一端１１ａ近傍から、第１の側面２２と背面２１との境界２２ａに延び、さらに、当該境界２２ａに沿って他端１２ａに向けて延びる。１つの実施形態においては、第１の開封補助線３０は、背シール部１３と境界２２ａとの間（すなわち、背面２１）において、曲線を含んだ線状に形成され得る。第１の開封補助線３０は、境界２２ａに沿って他端１２ａまで延びていてもよく、境界２２ａの他端１２ａまでは延びず、境界２２ａ上で裂け目の誘導を止めるように形成されていてもよい。
【００１４】
「境界に沿う」とは、境界上に第１の開封補助線（および第２の開封補助線）が存在する形態と、境界近傍に第１の開封補助線（および第２の開封補助線）が存在する形態とを含む概念である。１つの実施形態においては、図１および図２に示すように、第１の開封補助線および第２の開封補助線は、その少なくとも１部が包装袋の角部上にあるように設けられる。このようにすれば、内容物を傷つけることを防止し得る。このような実施形態は、内容物が隙間少なく包装されている場合に特に有効である。別の実施形態においては、第１の開封補助線および第２の開封補助線は、包装袋の角部近傍で、開封補助線と当該角部とが交わらないようにして、設けられる。このようにすれば、開封時の裂け目の第１の開封補助線および第２の開封補助線からの逸脱をより有効に防止することができる。第１の開封補助線および第２の開封補助線と角部との最短距離は、例えば、１ｍｍ〜５ｍｍである。また、本実施形態においては、第１の開封補助線および第２の開封補助線は、近接する角部を基準に、開封口側に設けられることが好ましい。例えば、包装袋がガゼット袋である場合、前面または背面に設けられることが好ましい。
【００１５】
第２の開封補助線４０は、背シール部１３の一端１１ａ近傍から、第２の側面２３と背面２１との境界２３ａに延び、さらに、当該境界２３ａに沿って他端１２ａに向けて延びる。第１の開封補助線３０と第２の開封補助線４０の背シール部１３側端部は、同位置（包装袋としたときに同位置）であることが好ましい。１つの実施形態においては、第２の開封補助線４０は、背シール部１３の一端１１ａ近傍から境界２３ａまでの間（すなわち、背面２１）において、曲線を含んだ線状に形成され得る。第２の開封補助線４０は、境界２３ａに沿って他端１２ａまで延びていてもよく、境界２３ａの他端１２ａまでは延びず、境界２３ａ上で裂け目の誘導を止めるように形成されていてもよい。第１の開封補助線３０と第２の開封補助線４０とは同じ長さであることが好ましい。
【００１６】
本発明によれば、内容物の広面積面側である背面２１（後述の第２の実施形態においては、前面２０’）を広範囲に開封することが可能となり、内容物との干渉なく容易に開封でき、かつ、開封後に内容物を取り出しやすい包装袋を得ることができる。また、背面２１と側面２２、２３との境界２２ａ、２３ａは、製袋用フィルム１１０を折り返して包装袋１００が形成された際に角部となり得るが、本発明においては、第１の開封補助線３０と第２の開封補助線４０とを、当該角部に設けることにより、開封性に優れ、かつ、第１の開封補助線３０と第２の開封補助線４０が視認されがたく意匠性に優れる包装袋を得ることができる。
【００１７】
背シール部１３から第１の側面２２と背面２１との境界２２ａまでの間において、第１の開封補助線３０は、曲線のみから構成されていてもよく、直線のみから構成されていてもよく、曲線および直線から構成されていてもよい。また、背シール部１３から第２の側面２３と背面２１との境界２３ａまでの間において、第２の開封補助線４０は、曲線のみから構成されていてもよく、直線のみから構成されていてもよく、曲線および直線から構成されていてもよい。
【００１８】
１つの実施形態においては、背シール部１３において、第１の開封補助線３０および第２の開封補助線４０は、裂け目の誘導方向に向かって先細りする形状を有するとともに該方向に沿って配列された複数の単位補助線を含む。具体的には、図２に示すように、背シール部１３において、第１の開封補助線３０は、背シール部１３の一端１１ａ近傍から、第１の側面２２と背面２１との境界２２ａへ向けた裂け目の誘導方向に向かって先細りするハの字形状を有するとともに誘導方向および誘導方向に直交する方向に沿って配列された複数の単位補助線３１ａを含み、第２の開封補助線４０は、背シール部１３の一端１１ａ近傍から、第２の側面２３と背面２１との境界２３ａへ向けた裂け目の誘導方向に向かって先細りするハの字形状を有するとともに該方向に沿って配列された複数の単位補助線４１ａを含む。背シール部１３における第１の開封補助線３０と第２の開封補助線４０とをこのように構成することにより、背シール部１３から背シール部１３外への裂け目の移行をスムーズにすることができ、裂け目の開封補助線からの逸脱を防止することができる。背シール部１３における単位補助線の数、および隣接する単位補助線同士の間隔は、包装袋１００の用途、フィルムの強度などに応じて適切に設定され得る。単位補助線３１ａ、４１ａは、裂け目の誘導方向において２本〜１０本配列していることが好ましく、３本〜５本配列していることがより好ましい。また、単位補助線３１ａ、４１ａは、裂け目の誘導方向に直交する方向において、２本〜１０本（単位補助線がハの字形状を形成する場合、１組から５組のハの字形状を形成して）配列していることが好ましく、４本〜６本（単位補助線がハの字形状を形成する場合、２組から３組のハの字形状を形成して）配列していることがより好ましい。
【００１９】
背シール部１３における単位補助線は、図２に示すような上記ハの字形状を形成し得る他、図３に示すようなハの字が重なった形状を形成していてもよい。また、背シール部１３における単位補助線の形状のその他の例としては、Ｖ字形状、Ｕ字形状、Ｙ字形状等が挙げられる。単位補助線は左右対称であってもよく、非対称であってもよい。
【００２０】
１つの実施形態においては、上記第１の開封補助線および第２開封補助線の前記背シール部側端部の近傍において、背シール部１３に切り込みまたは切り欠き（図示例では切り込み１３ａ）が形成される。切り込みまたは切り欠きを形成することにより、開封開始位置をわかりやすくすることができ、かつ、開封開始位置をつまみやすくすることができる。
【００２１】
１つの実施形態においては、背シール部１３と境界２２ａとの間（すなわち、背面２１）において、第１の開封補助線３０は、互いに沿って延びる複数本の開封補助線３３により構成され得る。また、背シール部１３と境界２３ａとの間（すなわち、背面２１）において、第２の開封補助線４０は、互いに沿って延びる複数本の開封補助線４３により構成され得る。第１の開封補助線３０および第２の開封補助線４０をこのように構成すれば、裂け目の開封補助線からの逸脱を防止することができる。隣接する開封補助線同士の間隔は特に限定されず、包装袋１００の大きさに応じて適切に設定することができる。背面２１における開封補助線３３、４３の本数は、それぞれ、２本〜６本であり、より好ましくは３本〜５本である。図示例では、第１の開封補助線３０および第２の開封補助線４０は、それぞれ、互いに沿って方向に延びる３本の開封補助線により構成される。背面２１において、第１の開封補助線３０および第２の開封補助線４０を構成するそれぞれの開封補助線３３、４３は、図２に示すような途切れのない線の他、破線、点線、波線等の他の形状であってもよい。
【００２２】
１つの実施形態においては、第１の開封補助線および／または第２の開封補助線は、上記角部と略垂直に交わる。「第１の開封補助線および／または第２の開封補助線は、上記角部と略垂直に交わる」とは、包装袋を展開した状態（すなわち、製袋用フィルム１１０を平らに置いた状態）で、第１の開封補助線および／または第２の開封補助線と、角部に規定される直線とが略垂直となっていることをいう。
【００２３】
以下、第１の実施形態において、第１の開封補助線が角部と略垂直に交わる実施形態、および第２の開封補助線が角部と略垂直に交わる実施形態を具体的に説明する。なお、第１の実施形態においては、背シール部１３と背面２１との境界２１ａが第１の開封補助線および第２の開封補助線と交わる角部に相当する。
【００２４】
１つの実施形態において、第１の開封補助線３０と、背シール部１３と背面２１との境界２１ａとが交わる角度Ａは、９０°±２０°である。このようにして、第１の開封補助線３０を形成すれば、裂け目が境界２１ａ方向に逸れることを防止できる。本明細書において、「交わる角度」とは、交差する線のうち一方または両方の線が曲線である場合、交点における接線により規定される角度を意味する。また、「交わる角度」は、包装袋を展開して（すなわち、製袋用フィルム１１０を平らに置いた状態で）測定される角度である。上記角度Ａは、好ましくは９０°±１０°であり、より好ましくは９０°±５°であり、さらに好ましくは９０°±２°であり、特に好ましくは９０°±１°であり、最も好ましくは９０°である。このような範囲であれば、上記効果はより顕著となる。
【００２５】
１つの実施形態において、第２の開封補助線４０と、背シール部１３と背面２１との境界２１ａとが交わる角度Ａ’は、９０°±２０°である。このようにして、第２の開封補助線４０を形成すれば、裂け目が境界２１ａ’方向に逸れることを防止できる。上記角度Ａ’は、好ましくは９０°±１０°であり、より好ましくは９０°±５°であり、さらに好ましくは９０°±２°であり、特に好ましくは９０°±１°であり、最も好ましくは９０°である。このような範囲であれば、上記効果はより顕著となる。
【００２６】
１つの実施形態においては、第１の開封補助線３０は、第１の側面２２と背面２１との境界２２ａにおいて、当該境界２２ａに沿い裂け目の誘導方向に向かって先細りする形状を有するとともに該方向に沿って配列された複数の単位補助線３２ａを含む。また、本実施形態において、第２の開封補助線４０は、第２の側面２３と背面２１との境界２３ａにおいて、当該境界２３ａに沿い裂け目の誘導方向に向かって先細りする形状を有するとともに該方向に沿って配列された複数の単位補助線４２ａを含み得る。具体的には、図２に示すように、第１の開封補助線３０は、境界２２ａに沿い裂け目の誘導方向に向かって先細りするハの字形状を有するとともに誘導方向および誘導方向に直交する方向に沿って配列された複数の単位補助線３２ａを含み得る。また、第２の開封補助線４０は、境界２３ａに沿い裂け目の誘導方向に向かって先細りするハの字形状を有するとともに該方向に沿って配列された複数の単位補助線４２ａを含み得る。境界２２ａおよび境界２３ａにおける単位補助線の数、および隣接する単位補助線同士の間隔は、包装袋１００の用途、フィルムの強度などに応じて適切に設定され得る。単位補助線３２ａ、４２ａは、裂け目の誘導方向の直交する方向において、４本〜１２本（単位補助線がハの字形状を形成する場合、２組から６組のハの字形状を形成して）配列していることが好ましく、６本〜１０本（単位補助線がハの字形状を形成する場合、３組から５組のハの字形状を形成して）配列していることがより好ましい。一般的に、開封補助線を有する包装袋は、フィルムに開封補助線を形成した後、フィルムを製袋加工することにより製造され得、境界２２ａ、２３ａは角部となり得るが、当該角部は個々の包装袋ごとにその位置がずれることがある。上記実施形態においては、単位補助線３２ａ、４２ａを、裂け目の誘導方向の直交する方向において複数個配列することにより、角部の位置が包装袋ごとで安定していなくとも、単位補助線３２ａ、４２ａを角部（すくなくとも角部の近傍）に配置させることが可能となる。その結果、開封容易な包装袋を得ることができる。
【００２７】
境界２２ａ、２３ａにおける単位補助線の形状は、図２に示すような上記ハの字形状を形成し得る他、図３に示すようなハの字が重なった形状を形成していてもよい。また、境界２２ａ、２３ａにおける単位補助線の形状のその他の例としては、Ｖ字形状、Ｕ字形状、Ｙ字形状等が挙げられる。単位補助線は左右対称であってもよく、非対称であってもよい。
【００２８】
別の実施形態においては、図４に示すように、第１の開封補助線３０は、第１の側面２２と背面２１との境界２２ａにおいて、当該境界２２ａに沿って延びる複数本の開封補助線３２ｂにより構成される。また、本実施形態において、第２の開封補助線４０は、第２の側面２３と背面２１との境界２３ａにおいて、当該境界２３ａに沿って延びる任意の適切な本数の開封補助線４２ｂにより構成される。境界２２ａおよび境界２３ａに配置される上記開封補助線３２ｂ、４２ｂの本数は、それぞれ、２本〜６本であり、より好ましくは３本〜５本である。上記開封補助線３２ｂ、４２ｂは、図３に示すような途切れのない線の他、破線、点線、波線等の他の形状であってもよい。好ましくは、途切れのない線である。
本実施形態において、好ましくは、図３に示すように、上記開封補助線３２ｂおよび開封補助線４２ｂが、波状線または折れ線であり、隣り合う開封補助線間の距離が不定となるように構成される。このようにすれば、開封時の裂け目の開封補助線からの逸脱を防止することができる。より詳細には、所定の開封補助線（例えば、中央に位置する開封補助線）に沿った裂け目が当該開封補助線から逸脱した場合に、開封補助線が接近した箇所で当該裂け目が隣り合う別の開封補助線に移行しやすく、逸脱を防止してスムーズに開封することが可能となる。また、直線状に近いかたちで開封線が形成され得、外観上も有利である。
【００２９】
上記開封補助線３２ｂおよび開封補助線４２ｂが、波状線または折れ線であり、隣り合う開封補助線間の距離が不定となるように構成される場合、隣り合う開封補助線間の距離が最も近い箇所の当該開封補助線間の距離は、好ましくは１ｍｍ〜５ｍｍであり、より好ましくは２ｍｍ〜４ｍｍである。また、隣り合う開封補助線間の距離が最も遠い箇所の当該開封補助線間の距離は、好ましくは２ｍｍ〜８ｍｍであり、より好ましくは３ｍｍ〜７ｍｍである。
【００３０】
包装袋１００は、代表的には、１枚のフィルム（製袋用フィルム１１０）を袋状に折り込み、フィルムを重ねた状態で端部をシールすることにより得られ得る。具体的には、方形状のフィルムの一組の辺を重ねてシールすることで背シール部１３とし、フィルムの上記一組の辺に直交する２辺のうち一方の辺をシールすることで第１のシール部１１とし、他方の辺をシールすることで第２のシール部１２とすることにより、包装袋１００が得られ得る。
【００３１】
上記フィルム（製袋用フィルム）は、代表的には、製袋用フィルムの最外層となる基材フィルムと、用途に応じて基材フィルム上に積層された機能層とを有する。基材フィルムとしては、ポリエステル系、ポリアミド系、ポリプロピレン系、ポリカーボネート系、セロファン等の樹脂フィルムを用いることができる。好ましくは、これらの樹脂フィルムを二軸延伸した延伸フィルムが用いられる。基材フィルムは、任意の適切な印刷が施され得る。
【００３２】
機能層としては、例えば、バリア層および融着層が挙げられる。バリア層は、例えば、アルミニウム、酸化珪素、酸化アルミニウム、酸化インジウム、酸化錫、および酸化ジルコニウム等の無機物を基材フィルム上に蒸着すること、または、アルミニウム等の金属箔を基材フィルムに貼り合わせることにより形成され得る。包装袋を構成するフィルムとして、上記バリア層を有するフィルムを用いることにより、ガスバリア性、水蒸気バリア性、機械的強度、耐屈曲性、耐突き刺し性、耐衝撃性、耐磨耗性、耐寒性、耐熱性、耐薬品性、および遮光性等を向上させ、内容物の劣化を防止し得る。融着層は、例えば、高圧法低密度ポリエチレン、直鎖状低密度ポリエチレン、中密度ポリエチレン、高密度ポリエチレン、ポリプロピレン、エチレン−プロピレン共重合体、エチレン−酢酸ビニル共重合体、アイオノマー樹脂、エチレン−アクリル酸共重合体、エチレン−アクリル酸エステル共重合体、エチレン−メタクリル酸共重合体（ＥＭＭＡ）、エチレン−ビニルアルコール共重合体（ＥＶＯＨ）、ポリアクリロニトリル（ＰＡＮ）、ポリエチレンテレフタレート（ＰＥＴ）に代表されるポリエステル等の樹脂材料を塗布すること、または、これらの樹脂材料からなる樹脂フィルムを接着して積層することにより形成され得る。このような融着層を最内層として備えることにより、ヒートシールによりフィルムの端部をシールすることができる。
【００３３】
第１の開封補助線３０および第２の開封補助線４０は、製袋用フィルムの他の部分よりも厚みが薄い部分であり得る。このような開封補助線は、代表的には、レーザー照射（例えば、炭酸ガスレーザー照射）により製袋用フィルムをハーフカットすることにより形成される。
【００３４】
１つの実施形態においては、第１の開封補助線３０および第２の開封補助線４０は、上記基材フィルムに形成され得る。第１の開封補助線３０および第２の開封補助線４０が設けられた基材フィルム上に、バリア層を形成して包装袋を構成すれば、開封性およびバリア性に特に優れる包装袋を得ることができる。このような包装袋は、食品（例えば、菓子）用の包装袋として好適である。
【００３５】
Ｂ．第２の実施形態
図５（ａ）は本発明の１つの実施形態による包装袋１００’を背面２１’側から見たときの概略斜視図であり、図５（ｂ）は包装袋１００’を前面２０’側から見たときの概略斜視図である。図６は、包装袋１００’の製造に用いられる製袋用フィルム１１０’であり、包装袋１００’の展開図である。包装袋１００’は、上記包装袋１００と同様に、互いに対向する前面２０’および背面２１’と、前面２０’と背面２１’との間に形成されて互いに対向する第１の側面２２’および第２の側面２３’と、を有する。包装袋１００’は、前面２０’と背面２１’とがシールされることにより形成された第１のシール部１１’および第２のシール部１２’と、背面に形成された背シール部１３’と、を有する。第１のシール部１１’は、互いに対向する両端のうちの一端１１ａ’に沿って形成されており、第２のシール部１２’は、他端１２ａ’に沿って形成されている。背シール部１３’は、一端１１ａ’から他端１２ａ’まで延びるように背面２１’に形成されている。
【００３６】
背面２１と側面２２、２３との境界２２ａ、２３ａに第１の開封補助線３０および第２の開封補助線４０が配置される包装袋１００（図１および図２）と、図５および図６に示す包装袋１００’との相違は、包装袋１００’においては、前面２０’と側面２２’、２３’との境界２２ｃ’、２３ｃ’に第１の開封補助線３０’および第２の開封補助線４０’が配置されている点にある。当該形態に付随した相違点を下記で説明する。その他の部分および各構成要素の具体的な形態については、適宜、上記Ａ項に記載の形態が採用され得る。
【００３７】
包装袋１００’は、背シール部１３’の一端１１ａ’近傍から、他端１２ａ’へ向けて延びる、第１の開封補助線３０’および第２の開封補助線４０’を有する。図５においては、第１の開封補助線３０’および第２の開封補助線４０’が太線で示されている。第１の開封補助線３０’および第２の開封補助線４０’は、包装袋１００’を背シール部１３’から切り裂いた際に、前面２０’に開封口を形成するように裂け目を誘導する。
【００３８】
第１の開封補助線３０’は、背シール部１３’の一端１１ａ’近傍から、第１の側面２２’と前面２０’との境界２２ｃ’に延び、さらに、当該境界２２ｃ’に沿って他端１２ａ’に向けて延びる。１つの実施形態においては、第１の開封補助線３０’は、背シール部１３’と境界２２ｃ’との間（すなわち、背面２１’および第１の側面２２’）において、曲線を含んだ線状に形成され得る。
【００３９】
第２の開封補助線４０’は、背シール部１３’の一端１１ａ’近傍から、第２の側面２３’と前面２０’との境界２３ｃ’に延び、さらに、当該境界２３ｃ’に沿って他端１２ａ’に向けて延びる。１つの実施形態においては、第２の開封補助線４０’は、背シール部１３’と境界２３ｃ’との間（すなわち、背面２１’および第１の側面２２’）において、曲線を含んだ線状に形成され得る。
【００４０】
背シール部１３’から第１の側面２２’と前面２０’との境界２２ｃ’までの間において、第１の開封補助線３０’は、曲線のみから構成されていてもよく、直線のみから構成されていてもよく、曲線および直線から構成されていてもよい。また、背シール部１３’から第２の側面２３’と前面２０’との境界２３ｃ’までの間において、第２の開封補助線４０’は、曲線のみから構成されていてもよく、直線のみから構成されていてもよく、曲線および直線から構成されていてもよい。
【００４１】
１つの実施形態においては、背シール部１３’と境界２２ｃ’との間（すなわち、背面２１’および第１の側面２２’）において、第１の開封補助線３０’は、互いに沿って延びる複数本（好ましくは２本〜６本、より好ましくは３本〜５本）の開封補助線３３’により構成され得る。また、背シール部１３’と境界２３ｃ’との間（すなわち、背面２１および第２の側面２３’）において、第２の開封補助線４０’は、互いに沿って延びる複数本（好ましくは２本〜６本、より好ましくは３本〜５本）の開封補助線４３’により構成され得る。
【００４２】
上記のとおり、第１の開封補助線および／または第２の開封補助線は、上記角部と略垂直に交わり得る。以下、第２の実施形態において、第１の開封補助線が角部と略垂直に交わる実施形態、および第２の開封補助線が角部と略垂直に交わる実施形態を具体的に説明する。なお、第２の実施形態においては、背シール部１３’と背面２１’との境界２１ａ’；背面２１’と第１の側面２２’との境界２２ａ’：第１の側面２１’中の折り込み線である線２２ｂ’；第２側面２３’中の折り込み線である線２３ｂ’；および背面２１’と第２の側面２３’との境界２３ａ’が第１の開封補助線および第２の開封補助線と交わる角部に相当し得る。
【００４３】
１つの実施形態において、第１の開封補助線３０’と、角部とが交わる角度Ａは、９０°±２０°である。上記角度Ａは、好ましくは９０°±１０°であり、より好ましくは９０°±５°であり、さらに好ましくは９０°±２°であり、特に好ましくは９０°±１°であり、最も好ましくは９０°である。１つの実施形態においては、図７に示すように、背シール部１３’から第１の側面２２’と前面２０’との境界２２ｃ’までの間において、第１の開封補助線３０’が曲線および直線から構成され、第１の開封補助線３０’の直線部分が、角部と交わる。このとき、上記角度Ａは、好ましくは９０°±２０°であり、より好ましくは９０°±１０°であり、さらに好ましくは９０°±５°であり、さらに好ましくは９０°±２°であり、特に好ましくは９０°±１°であり、最も好ましくは９０°である。なお、複数ある角部において、第１の開封補助線３０’（および後述の第２の開封補助線４０’）と角部とが交わる角度は、同じであってもよく、異なっていてもよい。
【００４４】
１つの実施形態において、第２の開封補助線４０’と、角部とが交わる角度Ａ’は、９０°±２０°である。上記角度Ａ’は、好ましくは９０°±１０°であり、より好ましくは９０°±５°であり、さらに好ましくは９０°±２°であり、特に好ましくは９０°±１°であり、最も好ましくは９０°である。１つの実施形態においては、図７に示すように、背シール部１３’から第２の側面２３’と前面２０’との境界２３ｃ’までの間において、第２の開封補助線４０’が曲線および直線から構成され、第２の開封補助線４０’の直線部分が、角部と交わる。このとき、上記角度Ａ’は、好ましくは９０°±２０°であり、より好ましくは９０°±１０°であり、さらに好ましくは９０°±５°であり、さらに好ましくは９０°±２°であり、特に好ましくは９０°±１°であり、最も好ましくは９０°である。
【００４５】
１つの実施形態においては、図６および図８に示すように、第１の開封補助線３０’は、第１の側面２２’と前面２０’との境界２２ｃ’において、当該境界２２ｃ’に沿い裂け目の誘導方向に向かって先細りする形状を有するとともに該方向に沿って配列された複数の単位補助線３２ｂ’を含む。また、第２の開封補助線４０’は、第２の側面２３’と前面２０’との境界２３ｃ’において、当該境界２３ｃ’に沿い裂け目の誘導方向に向かって先細りする形状を有するとともに該方向に沿って配列された複数の単位補助線４２ｂ’を含み得る。
【００４６】
別の実施形態においては、図８に示すように、第１の開封補助線３０’は、第１の側面２２’と前面２０’との境界２２ｃ’において、当該境界２２ｃ’に沿って延びる複数本の開封補助線３２ｂ’により構成される。また、本実施形態において、第２の開封補助線４０’は、第２の側面２３’と前面２０’との境界２３ｃ’において、当該境界２３ｃ’に沿って延びる複数本の開封補助線４２ｂ’により構成される。境界２２ｃ’および境界２３ｃ’に配置される上記開封補助線３２ｂ’、４２ｂ’の本数は、それぞれ、２本〜６本であり、より好ましくは３本〜５本である。上記開封補助線３２ｂ’、４２ｂ’は、図８に示すような途切れのない線の他、破線、点線、波線等の他の形状であってもよい。好ましくは、途切れのない線である。
【００４７】
好ましくは、図８に示す実施形態において、上記開封補助線３２ｂ’、４２ｂ’および開封補助線３２ｂ’、４２ｂ’は、波状線または折れ線であり、隣り合う開封補助線間の距離が不定となるように構成される。このようにすれば、開封時の裂け目の開封補助線からの逸脱を防止することができる。
【００４８】
本明細書で説明した各要素は、適宜組み合わされ得ることは言うまでもない。例えば、図７に示す形態と図８に示す形態を組み合わせた形態、すなわち、第１の開封補助線および／または第２の開封補助線は、上記角部と略垂直に交わり、かつ、側面と前面との境界または側面と背面との境界において、第１の開封補助線および／または第２の開封補助線が、波状線または折れ線である形態も好ましい形態として挙げられる。
【産業上の利用可能性】
【００４９】
本発明の包装袋は、食品等を収容する包装袋として好適に用いられる。
【符号の説明】
【００５０】
１１      第１のシール部
１２      第２のシール部
１３      背シール部
２０      前面
２１      背面
２２      第１の側面
２３      第２の側面
３０      第１の開封補助線
４０      第２の開封補助線
１００    包装袋
【図１】
2020147367.tif 000003
【図２】
2020147367.tif 000004
【図３】
2020147367.tif 000005
【図４】
2020147367.tif 000006
【図５】
2020147367.tif 000007
【図６】
2020147367.tif 000008
【図７】
2020147367.tif 000009
【図８】
2020147367.tif 000010